(57)【要約】【課題】  電子ペーパへの外部からの電源補給として、太陽電池を使用し、そして、内部の電源供給のためには、太陽電池からの充電可能な二次電池も利用でき、それらの電力で電子ペーパの表示更新処理を行うことの可能、例えば、複写機のスキャンごとに、改ページ処理を行うと同時に、スキャナの光源から充電型二次電池に充電可能である電子ペーパを提供する。【解決手段】  この発明の太陽電池を用いた電子ペーパは、複写機のコピー機能と組み合わせ、スキャナの光源で発電、制御を行うものであり、半永久的にバッテリー交換のメンテナンス不要な電子ペーパの改ページ機構を有している。また、高ゲインの太陽電池を採用せずとも、表示の更新を行う電子ペーパの表示部の単位をより消費電力の小さくものとするために、表示部の分割を行う。【選択図】  図１
2006201461.tif 000002
【特許請求の範囲】
【請求項１】
複数の画像データを記憶している複数ページ記憶部、光センサ機能を持つ太陽電池、前期太陽電池の補助約をする蓄電池を有し、前記太陽電池からの強度情報を入力とし、強度に従い前記ページ表示部への制御が行なえる改ページ用電源制御部を備えた電子ペーパにおいて、
前記太陽電池を介して供給される電力が、前記改ページ用電源制御部によって、電子ペーパの制御に動可能な電圧値以上か否かを検出する検出手段と、前記検出手段の検出結果に応じて、前記供給電力により電子ペーパ制御可能な電圧値未満のときには、前記蓄電池の電力により前記電子ペーパの改ページ制御処理を動作させる手段と、前記供給電力が可動可能な電圧値以上のときには前記供給電力により前記電子ペーパの改ページ処理を動作させ、画像更新処理完了後に、余剰電力を前記蓄電池に充電する切換手段を備える電子ペーパ。
【請求項２】
前記太陽電池から電源供給があった時のみ起動し、その際に初期設定時の表示を再描画行うような前記改ページ用電源制御部を備えたことを特徴とする請求項１に記載の電子ペーパ。
【請求項３】
前記電子ペーパは分割可能な表示部を持ち、前記部分表示部のページ制御処理は、全体の表示部よりも前記太陽電池の電力を抑えることが可能であることを特徴とした、請求項１に記載の電子ペーパ。
【請求項４】
請求項３の電子ペーパにおいて、前記電子ペーパの対象とする光源の動作する方向に沿って前記太陽電池を複数搭載し、前記対象とする光源の通過を確認した前記部分表示部からページ制御を行ない、二次電池の消費を回避し、常に蓄電分の電力が制御に費やした電力を上回ることを特徴とした請求項１に記載の電子ペーパ。
【請求項５】
請求項１〜４の電子ペーパ表示部は、粒子移動型表示装置で、電気的駆動信号の供給切断後も表示状態を維持する不揮発性を有する。
【請求項６】
請求項１〜４の電子ペーパ表示部は、電気泳動表示装置で、電気的駆動信号の供給切断後も表示状態を維持する不揮発性を有する。
【請求項７】
請求項１〜４の電子ペーパ表示部は、液晶表示装置である。
【請求項８】
請求項１〜４の電子ペーパ表示部は、反射型液晶表示装置である。
【請求項９】
請求項１〜４の電子ペーパ表示部は、透過型液晶表示装置である。
【請求項１０】
請求項１〜４の電子ペーパ表示部は、半透過型液晶表示装置である。
【請求項１１】
請求項１〜４の電子ペーパ表示部は、コレステリック液晶表示装置である。
【請求項１２】
請求項１〜４の電子ペーパ表示部は、乾式トナー表示装置である。
【請求項１３】
請求項１〜４の電子ペーパ表示部は、有機EL表示装置である。
【発明の詳細な説明】
【技術分野】
【０００１】
本発明は、シート状の表示部を備え、表示データを格納する記憶領域を持ち、表示の不揮発性という特徴を有し、過去の表示内容は再表示しなくても保持されるペーパーライクな表示媒体である電子ペーパに関するものである。
【背景技術】
【０００２】
近年の情報化社会の発展に伴い、ディスプレイやハードコピー等の技術の重要性は高まっている。しかし、情報伝達の媒体として古くから使用されている紙は、携帯性や保存性が高い。そのため、情報伝達媒体としてＣＲＴやＬＣＤ等の表示媒体だけでは不充分であり、最近では、メモリを持ったペーパーライクな表示媒体が開発されている。
【０００３】
上記のような表示媒体として、電子ペーパが提案され（特開平１０−１７１６２０等）、電子ペーパ方式として、次のようなものが挙げられる。
【０００４】
◆白色粒子と絶縁性液体をマイクロカプセル化し電気泳動により画像表示を行う電気泳動方式
◆樹脂薄膜中に埋め込まれた２色に色分けした微小な球形粒子の回転により画像表示を行うツイストボール方式
◆導電性トナーと色の異なる絶縁性粒子とを用い、電荷を注入して導電性粒子を動かすことにより画像表示を行うトナーディスプレイ方式
◆ロイコ染料型リライタブルマーキング材料を用いて熱の制御により発消色を行うサーマルリライタブル方式
◆強誘電性液晶やコレステリック液晶等のメモリ性を有する液晶を用いて画像を表示する液晶方式
◆駆動電圧によって色の変化するエレクトロクロミック材料を用いて画像を表示するエレクトロクロミック方式
これらの様に、種々ある電子ペーパは、共通して、一度形成した画像を表示し続けるのにエネルギーを必要としないという特徴を有している。また、いずれも視認性（反射型で目が疲れない）があり、さらには、可搬性、屈曲性において良好な性能を持っている。これらの性能を生かして、電子ペーパを看板や電子ブックといった製品へ応用することが進められている。他に、掲示板、壁紙、新聞表示媒体、モバイル端末等、様々な製品への応用が期待されている。
【０００５】
イーインクコーポレーションの「特開2002-221918 複数ページディスプレイを有する電子ブック」の中で説明されているような電子ペーパは、電子メモリ、内部電源、コントローラ、記憶装置、また記憶装置に記憶するためのインターフェース装置、アドレス指定可能なディスプレイを有し、ページの内容を電子信号によって変更し得る物理ページを有し、さらに、取り扱い、物理的に移動、および、書き込みし得る物理的ページ上の情報の表現を具現化する。通常の紙の本の好ましい自然な触覚、および視覚インターフェースを維持しながら、通常の紙の本では、普通多くの冊数になってしまうような膨大な領域の情報にアクセスする能力を含んでいる。
【０００６】
このような一枚の電子ペーパに含まれる複数の表示内容を実際の紙として復元する方法として、光センサ搭載した電子ペーパを複写機のコピー機能を使用して実現する方法がある。しかし、これは通常の電子ペーパ同様、前記電子ペーパが電源を必要とするため、電子ペーパに寿命が来た場合、ユーザは電源を交換しなければならない。電子ペーパは通常の紙の長所は引き継ぐものであるため、電源の有無を意識することは極力避けたい。
【特許文献１】特開平１０−１７１６２０号公報
【特許文献２】特開２００２−２２１９１８号公報
【発明の開示】
【発明が解決しようとする課題】
【０００７】
電子ペーパの複数の表示画像を紙として出力させる方法として、複写機のコピー機能におけるスキャンと電子ペーパの改ページ機能を同期させる方法がある。
【０００８】
しかし、同期動作中に電子ペーパの電池が無くなってしまうことが考えられる。電子ペーパにおいてバッテリーのメンテナンスというものは通常の紙の性質と大きく異なるため、ユーザにとって、望ましいものではない。また、コピー機能で出力させる時に、電子ペーパは長時間放置すると画像が不安定になるという固有の問題を抱えているため、リフレッシュしてから長時間経ったあとの、初期ページのコピーは保証されない。
【０００９】
以上のことから、本発明が解決しようとする課題としては、電子ペーパへの外部からの電源補給として、太陽電池を使用し、そして、内部の電源供給のためには、太陽電池からの充電可能な二次電池も利用でき、それらの電力で電子ペーパの表示更新処理を行うことの可能、例えば、複写機のスキャンごとに、改ページ処理を行うと同時に、スキャナの光源から充電型二次電池に充電可能である電子ペーパを提供することにある。
【課題を解決するための手段】
【００１０】
このような目的を達成する電子ペーパの構成として、複写機のコピー機能と組み合わせ、スキャナの光源で発電、制御を行い、半永久的にバッテリー不要で実現するために、太陽電池を介して供給される電力が、改ページ用電源制御部によって、電子ペーパの制御に動可能な電圧値以上か否かを検出する検出手段と、その検出結果に応じて、電子ペーパ制御可能な電圧値未満のときには、蓄電池の電力により電子ペーパの改ページ制御処理を動作させる手段と、供給電力が電子ペーパの改ページ動作可動可能な電圧値以上のときには、電子ペーパの改ページ処理を動作させ、画像更新処理完了後に、余剰電力を蓄電池に充電する切換手段とを備えるものである。
【００１１】
また、高ゲインの太陽電池を採用せずとも、表示の更新を行う電子ペーパの表示部の単位をより消費電力の小さくものとするために、表示部の分割を行う手段を備え、メインコントローラの起動時に初期表示のリフレッシュを行う手段を備え、コピー機の仕様次第で、複写機を電子ペーパの基本操作時に必要な充電機とする手段を備えるものである。
【発明の効果】
【００１２】
以上説明したように、この発明の太陽電池を用いた電子ペーパは、複写機のコピー機能と組み合わせ、スキャナの光源で発電、制御を行うことで、半永久的にバッテリー交換の不要な電子ペーパを実現した。電子ペーパは通常の紙と同様に折り曲げ可能であり、軽量であることが要求されるため消耗品のバッテリーを搭載することはあまり望ましくなかったが、本発明によりメンテナンスフリーの電子ペーパシステムが実現した。
【００１３】
また、高ゲインの太陽電池を採用せずとも、表示の更新を行う電子ペーパの表示部の単位をより消費電力の小さくものとするために、表示部の分割を行うことで対処可能となった。
【００１４】
また、本特許の電子ペーパシステムでは改ページ制御に必要な電力値をもとに、太陽電池からの供給で足りなければ、蓄電池から供給。必要以上に太陽電池から電力が補給できた場合には蓄電池に充電という機構をもっているため、太陽電池を電源とすることで心配された、電源の不安定感も拭うことができる。
【００１５】
また、メインコントローラの起動時に初期表示のリフレッシュを行うので、電子ペーパの通常使用時に長時間経過などが理由で表示に乱れが生じていたとしても、復元してから改ページ制御へ移ることが可能である。そのため、出力される画像データの質が保証される。
【００１６】
またコピー機の仕様次第で、複写機を電子ペーパの基本操作時に必要な充電機として位置付けることも可能である。
【００１７】
また電子ペーパは表示の不揮発性を特徴とするため、省電力性が要求されるが、本特許の光センサ搭載電子ペーパでは、改ページ時のみしか電力を消費しない設計になっているため、省電力性にも優れているといえる。
【発明を実施するための最良の形態】
【００１８】
以下、本発明の好適な実施形態は図面を用いて説明する。
【００１９】
本発明の“太陽電池を用いた電子ペーパの改ページ制御方法”の実施形態の一例として、複写機等に搭載のスキャナの光源を太陽電池の電力源とした電子ペーパのシステムを示すブロック図を図１に示す。
【００２０】
10１は図２〜図４で詳しく述べるEPD（電気泳動現象を利用したディスプレイ）方式の表示部で、一度表示した画像を電源供給なしで保持することができるものである。EPD左パネル102はEPDパネル101の左半分を表示するパネル、EPD右パネル103は101の右半分を表示するパネルである。左端太陽電池104、中央太陽電池105、右端太陽電池106はEPDパネル101の右側、中央、左側に埋め込まれている太陽電池であり、光エネルギーを発電することが可能である。性能としては、複写機に通常搭載されているスキャナのように輝度の高い光源が太陽電池上を通過すると、EPDパネル101の一画面分表示を更新できる程度の電力を発電できるものとする。後にも説明するが、もし太陽電池をスキャナが通過したことで発電できる量が、EPDパネル半画面分であったとすると、太陽電池の数を倍にすれば、本実施例のシステムは稼動できる。また、この太陽電池は、光センサでもあり、一定輝度を越える光を検知した場合、または、感知した状態から一定輝度以下の状態（未検知）に遷移した場合に反応する。
【００２１】
107は電子ペーパシステムの内部構成を示した全体のブロック図である。電源供給コントローラ108は電子ペーパの改ページに必要な電源の供給するタイミングを制御するモジュールである。本実施例では、EPDパネル101を２つに分割している。そのため、電源供給コントローラ108は、EPDパネル101の半分の大きさである、EPD左パネル102、EPD右パネル103を表示更新できるだけの電力を供給する役割を果たす。電源供給コントローラ108の役割は、最小分割単位のEPDパネルを表示更新するのに必要な電力値を記憶し、表示更新のタイミングでその値の電源供給を行なうことにある。EPDパネル101の分割数が増えれば、それだけ個々のEPDパネルにおける表示更新に必要な電源は少なくて済む。光センサ受信機109は、104、105、106の３つの太陽電池から送信された各太陽電池内のセンサのON/OFF状況を電源供給コントローラ108に通知してくれる役割を果たす。タイマ116は電源供給コントローラ108からの要求により、スタート、再スタート、リセットが可能である。太陽電池110は左端太陽電池104、中央太陽電池105、右端太陽電池106の総称であり、これら３つの太陽電池を並列につないだものであり、電源供給コントローラ108に電気を供給する。蓄電池117は、太陽電池110からの充電が可能であり、太陽電池110と同様に電源供給コントローラ108に電気を供給する。太陽電池110に発電があれば、電源供給コントローラ108は最小分割単位のEPDパネルを表示更新するのに必要な電圧値以上か否かを判断し、判断結果に応じて、改ページ制御可能な電圧値未満のときには、蓄電池117の電力により電子ペーパの改ページ制御処理を動作させ、可動可能な電圧値以上のときには改ページ処理を動作させ、画像更新処理完了後に、余剰電力を蓄電池117に充電する。このように切換する手段を電源供給コントローラ108は持っている。改ページ用電源供給部111は、電源供給コントローラ108が左パネル、または右パネルの表示を変更する要求が来たときに、要求のあったパネルに対して表示変更に必要な電源を送る役割を果たすにモジュールである。左パネル表示制御部112、右パネル表示制御113は、共に改ページ用電源供給部111から電源が供給されると、複数ページ記憶部114に次のページのデータ情報を取得しにいき、EPD左パネル、EPD右パネルにそれぞれ取得した情報を流し、表示を行なうモジュールである。
【００２２】
スキャナ光源115は標準的なコピー機に搭載されているスキャナの光源そのものである。
【００２３】
図２は、図１の10１で示すEPD（電気泳動現象を利用したディスプレイ）方式の表示部について示している。これは、2枚のプラスチックフィルムの間に帯電したトナーを封じ込めて、トナーの面内分布を電気的に変化させて画像を形成するというもの。表示部201は、TFT部202、接着剤層203、カプセル化したディスプレイ媒体204、および樹脂素材205を備える。TFT部202がディスプレイ媒体204に電場を印加すると、ディスプレイ媒体204内の帯電したトナーは極性に応じてどちらかの電極上に静電吸着し、その表面を被う。ここで一方の電極を面積の小さな黒色、他方を面積の大きな白色にしておくことで、コントラストを発生させて画像を形成するという仕組みである。なお、画像形成後、電気を切っても電極表面に吸着されたトナーはその状態を保持するため、表示画像には不揮発性がある。（電気泳動の詳細は、図４で説明する。）
図３は、TFT部202の実現方法を示しており、「特登録02547314 液晶表示装置の駆動回路」の中で説明されている表示領域に配置された各絵素にスイッチング素子を付加したマトリックス型表示装置の駆動回路に関するものである。
【００２４】
図３(Ａ)(Ｂ)はマトリックス型表示装置の基本的なブロック回路を示す回路構成図及び行・列電極に加えられる信号波形の１例を示すタイミング波形図である。１１は表示パネルであり直交する方向に多数本配列された行電極１１−ａと列電極１１−ｂの各交点でスイッチングトランジスタ１１−ｃが形成され、スイッチングトランジスタ１１−ｃのゲート電極が行電極１１−ａに、ソース電極が列電極１１−ｂに、ドレイン電極がマトリックス状に配置された表示絵素電極にそれぞれ接続されることにより構成されている。１２は行電極駆動回路であり図３(Ｂ)に示すＰｓのような走査パルスを各行電極に出力する。１３は列電極駆動回路でＰDのような表示内容に対応したデータ波形を各列電極に出力する。１４は行および列電極駆動回路を動作させるための制御回路である。
【００２５】
このような表示装置において、走査パルスＰｓにより表示領域のある行が選択されスイッチングトランジスタ１１−ｃがオン状態となると、データ波形ＰDのその行に対応する電圧がスイッチングトランジスタ１１−ｃを介して表示絵素電極に供給され、表示絵素電極とこれに対向する対向電極間に位置する電子ディスプレイ媒体１１−ｄに電圧が印加される。次にこの行が非選択となるとスイッチングトランジスタはオフ状態となり、表示絵素電極と列電極は切り離されるため、電子ディスプレイ媒体１１−ｄに印加されていた電圧はデータ波形の影響を受けることなくそのまま保持され、これが行方向に順次反復されてクロストークのない鮮明な表示パターンが得られる。
【００２６】
図４の一連の図は、ディスプレイ媒体204の仕組みを説明するもである。
【００２７】
図４ａは電気泳動ディスプレイ１３０を示す。バインダ１３２は、複数の粒子１３６および染色懸濁流体１３８を充填された少なくとも１つのカプセル１３４を含む。１実施形態において、粒子１３６はチタニア粒子である。適切な極性の直流電界がカプセル１３４に印加される場合には、粒子１３６がディスプレイの視覚面へと移動して、光を散乱する。印加された電界が逆転される場合には、粒子１３６はディスプレイの背面に移動し、そしてディスプレイの視覚面は、暗く見える。
【００２８】
図４ｂは別の電気泳動ディスプレイ１４０を示す。このディスプレイは、第１のセットの粒子１４２および第２のセットの粒子１４４をカプセル１４１内に含む。第１のセットの粒子１４２および第２のセットの粒子１４４は、対照をなす光学特性を有する。例えば、第１のセットの粒子１４２および第２のセットの粒子１４４は、異なる電気泳動移動度を有し得る。加えて、第１のセットの粒子１４２および第２のセットの粒子１４４は、対照をなす色を有し得る。例えば、第１のセットの粒子１４２は白で、第２のセットの粒子１４４は黒であり得る。カプセル１４１は実質的に透明な流体をさらに含む。カプセル１４１は、カプセル１４１を隣接して堆積された電極１４６および１４６’を有する。電極１４６、１４６’は、電圧源４８に接続されており、カプセル４４１に交流（ＡＣ）電界または直流（ＤＣ）電界を提供し得る。電極１４６、１４６’に電界を印加する際に、第１のセットの粒子１４２は電極１４６’に向かって移動するが、第２のセットの粒子１４４は電極１４６に向かって移動する。
【００２９】
図４ｃは懸濁粒子ディスプレイ１５０を示す。懸濁粒子ディスプレイ１５０は、透過な流体１５４中に針状の粒子１５２を含む。粒子１５２は、電極１５６、１５６’にＡＣ電界を印加する際に、方向を変える。ＡＣ電界が印加されると、粒子１５２は表示面に対して垂直に方向付けされて、ディスプレイは透明に見える。ＡＣ電界が取り除かれると、粒子１５２は不規則に方向付けられて、ディスプレイ１５０は不透明に見える。
【００３０】
図４ａ〜図４ｃに提供された電気泳動ディスプレイは単なる実施例であり、他の電気泳動ディスプレイが本発明にしたがって使用され得る。電気泳動ディスプレイの他の例は、共有に係わる同時係属中の米国特許出願シリアル番号０８／９３５，８００および０９／１４０，７９２で説明されており、本明細書中で参考として援用する。
【００３１】
別の詳細な実施形態において、表示媒体は、図４ｄに示されるような複数の重クロム球体を含み得る。重クロム球体１６０は通常、第１の色の正に帯電された半球１６２および第２の色の負に帯電された半球１６４を液状媒体１６６内に含む。電極１６８、１６８’のペアを介して球体１６０中に電界を印加する際に、球体１６０は、回転して２つの半球１６２、１６４のうち１つの色を表示する。
【００３２】
次に、図５のフローチャートを用いて、本発明の一実施形である、太陽電池を用いた電子ペーパの改ページ制御方法を説明する。具体的には、コピー機能と電子ペーパの改ページとの同期処理において、複合複写機等のスキャナ光源の動作に反応して改ページを行う際に、どのようにして改ページ表示更新処理に必要な電源補給を常時行なうのか、その処理の流れについて説明する。
【００３３】
S501は初期状態であり、電子ペーパはコピーしたい初めのページを手動改ページボタン115により設定され、表示している。初期状態として蓄電池117にはEPDパネル全画面2回分以上の表示更新が可能な電力を蓄えてある。この場合、電子ペーパは不揮発性という特徴を持っているため、この初期状態では、電子ペーパ内の太陽電池110、及び蓄電池117は電源を供給していない状態である。S502は初期状態において、各太陽電池内の光センサ104、105、106が、光の検知を行なっている。通常の複写機等に搭載されているスキャナの光の強さ程度以上の輝度が検知されなければ（S502：No）そのまま処理は終了（S518）となる。検知されれば（S502：Yes）、電源供給コントローラ108が起動する（S503）。
【００３４】
起動後、電子ペーパのEPDパネル101のページの初期化を行なう。ここで全画面一回分の表示更新が強制的になされるので、たとえ、コピーする前の初期状態などにおいて、画像が乱れていたとしても、コピー開始時にリフレッシュすることになる。
【００３５】
起動後、電源供給コントローラ108は、光センサ受信部109を起動させ、光センサ受信部109は、各太陽電池内の光センサ104、105、106の状態を把握し、電源供給コントローラ108はその情報を取得できるようになる。そして、S504では電源コントローラ108が取得した情報が中央太陽電池内の光センサ105のみ、又は複数太陽電池内の光センサであるか、を判別する。中央太陽電池内の光センサ105のみ、又は複数の光センサによる情報であると判断された場合（S504：Yes）、S517にて、S503のページの初期化時に使用した電源分を補給するために光検知のあった太陽電池110は充電を開始する。そして、スキャナ光源以外による光であると判断したため、改ページ処理を終了し、タイマ116をリセット（S516）、そしてS518にて、起動していた電源供給コントローラ108を停止させてから処理を終了とする。中央太陽電池内の光センサ105のみ、又は複数の太陽電池内の光センサによる情報ではなく、左端太陽電池内の光センサ104、又は右端太陽電池内の光センサ106のみからの情報であると判断された場合（S504：No）、S505において、光の検知のあった方の太陽電池で蓄電池117に充電を開始する。この場合、充電のあった太陽電池のほうからスキャンが行なわれているということになる。次にS506にて、電源供給コントローラ108はタイマ116をスタートさせる。次にS507において、あらかじめ設定された通常のスキャナの光源が端から中央に移動するのに十分である時間A秒が経過する前に、中央太陽電池内の光センサ105がスキャナ光源を検知する。A秒以内に検知されなかった場合（S507：No）は、移動してきたスキャナに、なんらかの理由で異常処理が起きたと判断し、改ページ処理を終了し、タイマ116をリセット（S516）、電源供給コントローラ108に登録されているセンサ情報をリセット（S517）する。そしてS518にて、起動していた電源供給コントローラ108を停止させてから処理を終了とする。A秒以内に検知された場合（S507：Yes）はS508にて、S505で充電のあった蓄電池117内の電圧値がEPDパネル半分の表示更新できる電圧値であるか確認する。確認した結果、充電した太陽電池内の電圧値が規定に満たなかった場合（S508：No）、改ページ処理を終了し、タイマ116をリセット（S516）、そしてS518にて、起動していた電源供給コントローラ108を停止させてから処理を終了とする。確認した結果、充電した太陽電池内の電圧値が規定を満たしていた場合（S508：Yes）、充電のあった太陽電池側からスキャナが中央のセンサ105まで移動してきたと判断でき、S509にて、電源供給コントローラ108はタイマ116を再スタートさせた後、S510にて、スキャナが通過済みの方のEPDの改ページを行なう。改ページ方法としては、例えば、充電のあった太陽電池が左端太陽電池104であったとすると、電源供給コントローラ108は、その情報を改ページ用電源供給部111に伝達する。左端光センサ104が登録の光センサであったと受けた改ページ用電源供給部111は、左パネル表示制御部112に、改ページするために必要な電源供給を行なう。これを受け、左パネル表示制御部112は、現在のページのアドレスをもとに次のページのアドレスを割り出し、複数ページ記憶部114に次のページを示すアドレスを渡し、複数ページ記憶部114から、次のページの表示情報を取得する。取得した次のページの表示情報をもとに、左���ネル表示制御部112は、EPD左パネル102の改ページを実行し、電子ペーパの左半分の表示が更新される。左パネル表示制御部112は、改ページするために必要な電源供給しか行なっていないので、表示の更新が終わったところで左パネル表示制御部112から電源の供給終わる。このとき電子ペーパは不揮発性を持っているため電源の供給が終わっても、更新された画像は保持される。次にS511でS507と同様にA秒以内に、今度はS505 において充電のあった太陽電池内のセンサと反対側の太陽電池内のセンサ（登録が左端太陽電池内の光センサ104であれば、右端太陽電池内のセンサ106。登録が右端太陽電池内のセンサ106であれば、左端太陽電池内の光センサ104）がスキャナ光源の検知を行なう。充電のあったセンサと反対のセンサがA秒以内に光を検知しなかった場合（S511：No）S519にて、S510で更新したページを元に戻す処理を行なう。戻りページ処理は、ほぼS510と同様に行なわれる。異なる点は、複数ページ記憶部114へ渡すアドレスが現在表示している画像の前のアドレスということだけである。例えば、EPD左パネル102を１ページ戻す場合、左パネル表示制御部112は、現在のページのアドレスをもとに前のページのアドレスを割り出し、複数ページ記憶部114に前のページを示すアドレスを渡し、複数ページ記憶部114から、前のページの表示情報を取得する。以降はS510と同じ処理である。戻しページ処理が完了すると、タイマ116をリセット（S516）、そしてS518にて、起動していた電源供給コントローラ108を停止させてから処理を終了とする。S511にて、今度は登録のあった太陽電池内のセンサと反対の太陽電池内の光センサがA秒以内に光を検知した場合（S511：Yes）はS512にて、中央太陽電池内の光センサ105がスキャナ光源を検知しているか判断する。中央太陽電池内の光センサ105が光を検知していた場合、複数の光センサが光を検知していることになり、これはスキャナ光源ではないと判断し、S519にて戻しページ処理を行ない、S511でNoの場合と同様の処理を行なう。中央太陽電池内の光センサ105が、S508と同様に規定値に達しているか判別し、達していた場合（S512：Yes）、S505で充電のあった太陽電池内のセンサと反対側の太陽電池内のセンサをスキャナが通過したと判断できるため、S513でタイマを再スタートさせ、S514にて、充電のあった太陽電池と反対側のEPDパネルの表示を更新する処理を行なう。表示の更新方法は、例えば充電のあったセンサが左端太陽電池であった場合、右パネル表示制御部113に対して、S510と同様の処理を行なってもらう。これにより、EPD左パネル102、EPD右パネル103の１ページ分の改ページ処理が終了する。次にS515にて、S505にて充電のあった太陽電池内のセンサがスキャナ光源を検知するかの判断を行なう。光が検知された場合（S515：Yes）、ユーザが改ページしたいページ数が複数存在すると判断し、S506に戻り、再び現在表示されているページの改ページ処理を行なう。光が検知されなかった場合（S515：No）ユーザが改ページ処理を終了させたと判断し、タイマ116をリセット（S516）、そしてS518にて、起動していた電源供給コントローラ108を停止させてから処理を終了とする。
【図面の簡単な説明】
【００３６】
【図１】この発明の複写機等に搭載のスキャナの光源を太陽電池の電力源とした電子ペーパのシステムを示すブロック図である。
【図２】図１におけるEPD（電気泳動現象を利用したディスプレイ）方式の電子ディスプレイの断面図示す。
【図３】TFT部の実現方法でスイッチングトランジスタを付加したマトリックス型表示装置を示し、（Ａ）はブロック図、（Ｂ）は駆動波形図である。
【図４】（ａ）は、電子ディスプレイ媒体の部分的断面図である。（ｂ）は、電子ディスプレイ媒体の部分的断面図である。（ｃ）は、電子ディスプレイ媒体の部分的断面図である。（ｄ）は、電子ディスプレイ媒体の部分的断面図である。
【図５】本特許の太陽電池を用いた電子ペーパの改ページ制御方法のフローチャートである。
【符号の説明】
【００３７】
１１  パネル
１２  行電極ドライバ
１３  列電極ドライバ
２０  表示部
２０２  TFT部
２０４  ディスプレイ媒体
【図１】
2006201461.tif 000003
【図２】
2006201461.tif 000004
【図３】
2006201461.tif 000005
【図４】
2006201461.tif 000006
【図５】
2006201461.tif 000007